(57)【特許請求の範囲】
【請求項１】
ガラス面を清掃するためのヘッドと、該ヘッドに先端部材を介して角度変更可能なるように連結された操作用の柄とからなり、
上記ヘッドが、左右に細長い形をした基台の前面に、ガラス面の水滴を除去するためのエッジを有するへら部材と、ガラス面を摺擦するための摺擦面を有するスポンジ体とを、それらのエッジ及び摺擦面をともに基台の前方に向けた状態で相互に近接させて取付けることにより形成され、
上記柄は、第１及び第２の２つの連結部を介して上記基台に連結されていて、第１の連結部は、上記先端部材と基台とを、該基台の長手方向に平行な連結軸を中心に回動自在なるように連結し、第２の連結部は、上記先端部材と柄とを、上記基台の長手方向と直交する連結軸を中心に回動自在なるように連結し、
上記へら部材が基台の前面上端辺に沿って取付けられると共に、上記スポンジ体が該へら部材より下方位置で上記基台に取付けられ、上記第１の連結部が、上記基台の背面中央位置よりへら部材側に偏寄した位置に設けられ、
上記基台は、上記柄が取付けられた第１部材と、第１及び第２の２つのプレートを折曲自在に連結することにより形成された第２部材とからなっていて、該第２部材の２つのプレートに上記スポンジ体が該２つのプレートを跨いだ状態に接着され、上記第１プレートは上記第１部材に取付けられ、上記第２プレートは上記第１プレート側に折り返して該第１プレートとの間にスポンジ体を挟圧して搾水可能であることを特徴とするガラス用清掃具。
【請求項２】
上記スポンジ体の摺擦面に払拭布が取付けられていることを特徴とする請求項１に記載の清掃具。
【発明の詳細な説明】
【０００１】
【発明の属する技術分野】
本発明は、窓ガラス等に付着した汚れや水滴等を除去するためのガラス用清掃具に関するものであり、さらに詳しくは、水を使用したガラス面の払拭と水滴の除去とを一時的に行なうことができるガラス用清掃具に関するものである。
なお、本発明において「水」とは、水道水のような通常の水だけでなく、洗剤溶液等の洗浄液をもその概念に含むものとする。
【０００２】
【従来の技術】
一般に、窓ガラスの清掃を行なう場合には、先ず、水をスプレーによってガラス面に吹き付けるか、雑巾やスポンジ体などの吸水部材に含浸させて供給し、その後で、へら部材を備えたＴ字形の水滴ワイパーでガラス面に付着した水や汚れ等を除去するのが通常である。
【０００３】
しかしながら、上記従来の方法は、ガラス面に対する水の供給とその除去とを異なる２種類の清掃用具を使用して別々に行わなければならないため、それらの用具の取扱いや使い分けが面倒で非常に手間がかかり、場所によっては更に手間がかかったり清掃が困難になるといったケースもあった。例えば、高窓や吹き抜け部分の窓のような高所にある窓ガラス等を清掃するような場合には、水をスプレーで吹き付けるのはほぼ不可能であり、吸水部材に含浸させて供給したあとワイパーを使用する方法も、長い柄を取付けた吸水部材とワイパーとを、差し上げたりたぐり寄せたりしながら頻繁に使い分けなければならないため、作業に非常に手間がかかって面倒であり、大きな力も必要として重労働である。
【０００４】
一方、実公昭５８−１６３７３号公報には、外広がり状に傾斜する左右の溝壁を備えた溝形ホルダを柄の先端にＴ字形に取付け、この溝形ホルダの一方の溝壁にゴム製のワイパーブレードを取付けると共に、他方の溝壁にスポンジ製の研磨部材を取付けた構成を持つ清掃具が開示されていて、研磨部材に洗浄液を含浸させてガラス面を研磨したあと、ワイパーブレードでガラス面に付着した洗浄液を除去するといった使い方ができるということが示されている。この清掃具によれば、２種類の清掃具を別々に用意して使い分ける必要がないため、清掃作業は比較的簡単である。
【０００５】
しかしながら、上記清掃具は、上記ワイパーブレードと研磨部材とが、溝形ホルダの左右の溝壁の互いに離れた位置に異なる方向を向くように取付けられているため、例えば、研磨部材とワイパーブレードとをガラス面に同時に接触させて研磨と洗浄液の除去とを同時に行うといったような使い方はできず、研磨部材でガラス面を一旦研磨したあと、ワイパーブレードで洗浄液を除去するといった具合に、必ずそれらの作業を別々に行わなければならない。しかも、研磨部材を使用するときとワイパーブレードを使用するときとで、清掃具の向きを前後に１８０反転させなければならないため、操作が非常に面倒で手間がかかる。
【０００６】
【発明が解決しようとする課題】
本発明の技術的課題は、１つの清掃具で水によるガラス面の摺擦と付着した水滴の除去とを簡単に行うことができる、作業性に優れたガラス用清掃具を提供することにある。
【０００７】
本発明の他の技術的課題は、低所にある通常の窓だけでなく、高窓や吹き抜け部分の窓のような高所に形成された窓の清掃にも適したガラス用清掃具を提供することにある。
【０００８】
【課題を解決するための手段】
上記課題を解決するため、本発明のガラス用清掃具は、ガラス面を清掃するためのヘッドと、該ヘッドに先端部材を介して角度変更可能なるように連結された操作用の柄とからなり、上記ヘッドが、左右に細長い形をした基台の前面に、ガラス面の水滴を除去するためのエッジを有するへら部材と、ガラス面を摺擦するための摺擦面を有するスポンジ体とを、それらのエッジ及び摺擦面をともに基台の前方に向けた状態で相互に近接させて取付けることにより形成され、上記柄は、第１及び第２の２つの連結部を介して上記基台に連結されていて、第１の連結部は、上記先端部材と基台とを、該基台の長手方向に平行な連結軸を中心に回動自在なるように連結し、第２の連結部は、上記先端部材と柄とを、上記基台の長手方向と直交する連結軸を中心に回動自在なるように連結し、上記へら部材が基台の前面上端辺に沿って取付けられると共に、上記スポンジ体が該へら部材より下方位置で上記基台に取付けられ、上記第１の連結部が、上記基台の背面中央位置よりへら部材側に偏寄した位置に設けられ、上記基台は、上記柄が取付けられた第１部材と、第１及び第２の２つのプレートを折曲自在に連結することにより形成された第２部材とからなっていて、該第２部材の２つのプレートに上記スポンジ体が該２つのプレートを跨いだ状態に接着され、上記第１プレートは上記第１部材に取付けられ、上記第２プレートは上記第１プレート側に折り返して該第１プレートとの間にスポンジ体を挟圧して搾水可能であることを特徴とするものである。
【０００９】
上記構成を有するガラス用清掃具は、予め水を含ませたスポンジ体をガラス面に押付けて該ガラス面を摺擦する作業と、ガラス面に付着した水滴をへら部材のエッジで除去する作業とを、ヘッドの前面に並べて設けた上記スポンジ体とへら部材とを使用し、従来品のようにヘッドの向きを１８０度変更するといったような面倒な操作を行うことなく、同時に行うことができる。従って、従来は雑巾等と水滴ワイパーとの２種類の清掃具を使用して行なっていた清掃作業を、１つの清掃具で行なうことができるため、複数の清掃具をいちいち交換する手間が省けて清掃作業が非常に簡単で楽である。
【００１０】
しかも、上記へら部材で擦り取られてガラス面を流下する水滴をスポンジ体に吸収させて再使用するといった使い方もできるため、該スポンジ体を常に水を含んだ状態に維持することが可能となり、あらためて水を含ませる作業を大幅に少なくすることができるから、上記のように２種類の用具を使い分ける必要がないことと相俟って、高窓や吹き抜け部分の窓のような、高所に形成された窓ガラス等を清掃する場合であっても、清掃具の上げ下げを行なう回数を抑えることができて極めて効率的である。
【００１２】
このように、上記柄が基台上部のへら部材側に偏寄した位置に連結されることにより、柄による操作力をへら部材に確実かつ有効に伝えることができ、水切り効果が高まる。
【００１３】
本発明においては、上記スポンジ体の摺擦面に払拭布を取付けておくことができる。これにより、払拭布でガラス面の汚れを拭取ることができる。
【００１７】
【発明の実施の形態】
図１乃至図５は本発明に係るガラス用清掃具の第１実施例を示すもので、この清掃具１Ａは、操作用の柄２と、該柄２の先端に略Ｔ字形をなすように連結されたヘッド３とからなっている。
【００１８】
上記ヘッド３は、左右に細長い形をした基台４の前面に、ガラス面の水滴を擦り取るためのエッジ５ａを有するへら部材５と、ガラス面を摺擦するための摺擦面６ａを有するスポンジ体６とを、それらのエッジ５ａ及び摺擦面６ａをともに基台４の前方に向けた状態で相互に近接させて取付けたものである。この場合、上記へら部材５は基台４の前面上端縁に沿って取付けられ、スポンジ体６は、該へら部材５よりも下方位置に形成された取付面に取付けられている。また、へら部材５のエッジ５ａがスポンジ体６の摺擦面６ａより前方に突出しているが、エッジ５ａの位置は摺擦面６ａと同じであっても良い。
【００１９】
上記柄２は、第１及び第２の２つの回動自在の連結部８，９によって上記ヘッド３に角度変更可能なるように連結されている。第１の連結部８は、ヘッド３の背面の長手方向中央部における上端部寄りの位置に設けられていて、該ヘッド３と柄２の先端部材２ａとを、ヘッド３の軸線と平行する連結軸８ａにより回動自在に連結するもので、図３に鎖線で示すように、この連結軸８ａを中心にして柄２を、ヘッド３の軸線と直交する面内で回動させ得るようになっている。また、第２の連結部９は、上記先端部材２ａと柄２とをヘッド３の軸線と直交する連結軸９ａにより回動自在に連結するもので、図１に鎖線で示すように、この連結軸９ａを中心にして柄２を、ヘッド３の軸線と平行する面内で回動させ得るようになっている。
【００２０】
このように柄２を、ヘッド３の軸線と直交する方向と平行する方向のうち少なくとも一方向に角度調整自在とすることにより、ガラス面の高さや向き、角度等に応じて柄２の角度を変えることにより、上記へら部材５及びスポンジ体６を該ガラス面に適正な角度で確実に押し当てることができる。また、窓ガラスの外面を横位置から清掃することも可能となる。
【００２１】
また、上記柄２は中空パイプ状をなしていて、図示しない延長用の補助柄を差し込んで接続可能なるように構成されており、手の届く位置にあるガラス面を清掃する場合は該柄２を直接握持して清掃を行い、手の届かない位置にあるガラス面を清掃する場合は補助柄を差し込んで延長し、長尺化した状態で清掃を行うことができるようになっている。図中２ｂは、補助柄に設けられている抜止用の突起を係止させるための係止孔である。
なお、上記柄２は、接続式以外にも、伸縮により長さ調節自在なるように構成することもできる。
【００２２】
また、上記基台４は、図４及び図５から良く分かるように、相互に分離自在に結合された第１部材１１及び第２部材１２からなっていて、第１部材１１に上記へら部材５と柄２とが取付けられ、第２部材１２に上記スポンジ体６が取付けられており、それらの具体的構成は以下の通りである。
【００２３】
即ち、上記第１部材１１は、その前面上端部に、斜め上方に向けて傾斜するへら部材用取付溝１３を有し、この取付溝１３にゴムや軟質合成樹脂などからなる帯状の上記へら部材５が、先端のエッジ５ａをスポンジ体６の摺擦面６ａより若干前方に突出させると共に、長さ方向の両端部を第１部材１１の長手方向両端部から若干突出させた状態で、斜め上方に傾斜させて取付けられている。また、上記取付溝１３の下側の位置には、上記第２部材１２を取付けるための取付面が形成され、この取付面に、第２部材１２の固定用突起１５を係止させるための係止孔１６が２つ設けられている。これらの係止孔１６は、孔幅の大きい大径部１６ａと孔幅の小さい小径部１６ｂとを有する長孔状に形成されている。
【００２４】
この第１部材１１の背面上端部には、上記第１の連結部８を介して柄２が取付けられている。このように、柄２をヘッド３におけるへら部材５の取付位置側に偏寄させて連結することにより、該柄２による操作力をへら部材５に確実かつ有効に伝えることができ、水切り効果が高まる。
【００２５】
一方、上記第２部材１２は、第１及び第２の２つの細長いプレート１２ａ，１２ｂを長側辺においてヒンジ手段１８で折曲自在に連結することにより形成されたもので、両プレート１２ａ，１２ｂの前面の取付面にそれらを跨いだ状態に上記スポンジ体６が、接着剤により直接接着するか又は両面接着テープ等により剥離自在なるように取付けられている。そして、図５に鎖線で示すように、これら両プレート１２ａ，１２ｂを折曲して相互間にスポンジ体６を挟圧することにより、含水した該スポンジ体６を搾水可能なるように構成されている。
【００２６】
なお、上記スポンジ体６を取付面に両面接着テープ等で剥離自在なるように取付ける場合、該スポンジ体６の交換時における剥離を容易にするため、上記プレート１２ａの上端部か又はプレート１２ｂの下端部におけるスポンジ体６の接着端の位置に、両面接着テープを摘持できるような窪みを幾つか形成しておくことが望ましい。
【００２７】
上記スポンジ体６の表面には、必要に応じて不織布製の払拭布１９を、接着や巻付け等の適宜手段で被着することができる。この払拭布１９は、それを構成する繊維の一部又は全部に、繊維径が１〜９μｍの超極細繊維及び１０〜３０μｍの極細繊維のうち少なくとも一方を含むもので、このような払拭布１９をスポンジ体６の表面に被着することにより、ガラス面の汚れをこの払拭布１９で確実に拭き取ることができる。
【００２８】
上記第１プレート１２ａには、係止頭部１５ａを備えた上記柱状突起１５が２つ形成されていて、これらの突起１５，１５を上記第１部材１１の係止孔１６，１６内に大径部１６ａにおいて嵌合させ、その状態で該第１プレート１２ａを軸方向（長手方向）に横移動させて該突起１５，１５を係止孔１６、１６の小径部１６ｂ側に移動させて係止頭部１５ａをこの小径部１６ｂの外縁に係止させることにより、該第１プレート１２ａを上記第１部材１１に固定できるようになっている。
【００２９】
また、上記第２プレート１２ｂは、上記第１プレート１２ａを第１部材１１に取付けた状態のまま折曲操作してスポンジ体６の搾水を行うことができるようになっており、その場合に、搾水操作するとき以外は該第２プレート１２ｂを第１部材１１に係止させておくことができるように、該第２プレート１２ｂの長側辺の先端部中間位置に、上記第１部材１１の下端部端縁に弾力的に係脱自在のフック２０が形成されている。
【００３０】
上記構成を有するガラス用清掃具は、スポンジ体６を水に浸して十分含水させあと、該スポンジ体６を搾水して水が滴り落ちない程度の含水率となるように調整する。その搾水は、第２プレート１２ｂの弾性フック２０を第１部材１１の端部への係止状態から外したあと、該第２プレート１２ｂを回動させて第１プレート１２ａとの間にスポンジ体６を挟圧することにより行い、搾水が終わったあと上記フックを再度第１部材１１に係止させておく。
【００３１】
そして、上記スポンジ体６をガラス面に押付けて該ガラス面を摺擦しながら、ガラス面に付着した水滴をへら部材５で除去するようにする。これにより、スポンジ体６によるガラス面への水の供給と汚れの拭取りとを行うことができると同時に、へら部材５３でガラス面上に残っている水滴や拭き残した汚れ等を擦り取ることができる。この場合、柄２の角度を２方向に調節自在とした場合には、例えばガラス面を上から下に向けて摺擦する場合に、ヘッド３の高さや向きが次第に変化していっても、ヘッド３に対する柄２の角度が変わることによってその変化を吸収し、常にへら部材５とスポンジ体６とをガラス面に適正に押し付けることができる。また、柄２の角度を変えることで、例えばへら部材５をスポンジ体６よりもガラス面に強く押付けるといったように、両者の押付力を調整することもできる。
【００３２】
かくして上記清掃具は、従来雑巾等と水滴ワイパーとの２種類の清掃用具で行なっていた清掃作業を１つの清掃具で、しかも同時に行なうことができるため、清掃用具をいちいち交換する手間が省け、清掃作業が非常に簡単で楽である。
【００３３】
しかも、上記へら部材５で擦り取られてガラス面を流下する水滴をスポンジ体６に再吸収させることができるため、該スポンジ体６を常に水を含んだ状態に維持することができ、あらためて水を含ませる作業を大幅に少なくすることができる。このため、高窓や吹き抜け部分の窓のような、高所に形成された窓ガラス等を清掃する場合であっても、清掃具１Ａの上げ下げを行なう回数を減らすことができ、作業が簡単で効率的である。
【００３４】
清掃作業が終了したあとや、汚れたスポンジ体６を清浄化する場合は、該スポンジ体６が取付けられている第２部材１２を第１部材１１から一旦取外し、スポンジ体６を水洗いしたあと上述した方法で搾水し、再度装着する。
【００３５】
また、上記スポンジ体６や払拭布１９等が破損したり摩耗あるいは劣化したような場合には、それらを新しいものと交換すれば良い。この場合、スポンジ体６や払拭布１９だけを交換するようにしても、第２部材１２ごと交換するようにしても良い。
【００３６】
図６は本発明の第２実施例を示すもので、この第２実施例の清掃具１Ｂが上記第１実施例の清掃具１Ａと相違する点は、第１実施例では、柄２を基台４に連結するための第１連結部８を該基台４の上端部のへら部材５の背後に位置させているのに対し、この第２実施例では、へら部材５の下端部よりもやや下方の位置において、基台４の内部に埋設した状態に形成していることである。それ以外の構成は第１実施例と実質的に同じであるから、主要な同一構成部分に第１実施例と同じ符号を付してその説明は省略する。
【００３７】
図７及び図８は本発明の第３実施例を示すもので、この第３実施例の清掃具１Ｃは、基台４がヒンジ手段１８で相互に折曲自在に結合された第１部分２１及び第２部分２２からなっていて、第１部分２１に上記へら部材５と柄２とが取付けられ、第１部分２１と第２部分２２とを跨ぐように形成された取付面２３にスポンジ体６が取付けられている。
【００３８】
なお、上記以外の構成と作用及び好ましい変形例等については実質的に第１実施例と同じであるから、主要な同一構成部分に第１実施例と同じ符号を付してそれらの説明は省略する。
また、第２実施例の清掃具１Ｂと同様に柄２を基台４の背面中間部に連結しても良い。
【００３９】
図９は本発明の第４実施例を示すもので、上記第１及び第２実施例ではそれぞれ、基台４が分離自在の第１部材１１と第２部材１２とに分かれていて、第１部材１１にへら部材５が取り付けられ、第２部材１２にスポンジ体６が取り付けられているのに対し、この第４実施例の清掃具１Ｄは、上記基台４が１つの部材からなっていて、この基台４にへら部材５とスポンジ体６の両方が取り付けられている点で、上記各実施例と相違している。
【００４０】
第４実施例の上記以外の構成については実質的に第１及び第２実施例と同じであるから、主要な同一構成部分に各実施例と同じ符号を付してその説明は省略する。
【００４１】
【発明の効果】
以上に詳述したように、本発明のガラス用清掃具によれば、１つの清掃具を使用して、含水スポンジ体によるガラス面の摺擦と、へら部材による水滴の除去とを、同時にしかもヘッドの向きを前後に１８０反転させるといった面倒な操作を行うことなく簡単に行うことができ、作業性に優れる。
また、上記へら部材で擦り取られてガラス面を流下する水滴をスポンジ体に吸収させて再使用するといった使い方もできるため、該スポンジ体を常に水を含んだ状態に維持することが可能となり、あらためて水を含ませる作業を大幅に少なくすることができるから、上記のように２種類の用具を使い分ける必要がないことと相俟って、高窓や吹き抜け部分の窓のような、高所に形成された窓ガラス等を清掃する場合であっても、清掃具の上げ下げを行なう回数を抑えることができて極めて効率的である。
【図面の簡単な説明】
【図１】本発明に係る清掃具の第１実施例を示す正面図である。
【図２】同背面図である。
【図３】同側面図である。
【図４】図２におけるＡ−Ａ線での断面図である。
【図５】図４を分解して示す断面図である。
【図６】本発明に係る清掃具の第２実施例を示す断面図である。
【図７】本発明に係る清掃具の第３施例を示す断面図である。
【図８】第３施例の清掃具の搾水状態の要部断面図である。
【図９】本発明に係る清掃具の第４施例を示す断面図である。
【符号の説明】
１Ａ，１Ｂ  清掃具
２  柄
３  ヘッド
４  基台
５  へら部材
５ａ  エッジ
６  スポンジ体
６ａ  摺擦面
１１  第１部材
１２  第２部材
１２ａ  第１プレート
１２ｂ  第２プレート
１９  払拭布
２１  第１部分
２２  第２部分
２３  取付面
【図１】
0004740435.tif 000002
【図２】
0004740435.tif 000003
【図３】
0004740435.tif 000004
【図４】
0004740435.tif 000005
【図５】
0004740435.tif 000006
【図６】
0004740435.tif 000007
【図７】
0004740435.tif 000008
【図８】
0004740435.tif 000009
【図９】
0004740435.tif 000010